(57)【特許請求の範囲】
【請求項１】
室内機本体に設けられ、検出範囲を変更する方向に回動可能であるセンサ部と、
前記センサ部の回動軸の軸線上に形成され、前記センサ部と共に回動する取付け部と、
前記室内機本体に対して着脱可能であって、前記室内機本体に装着されたとき前記取付け部を囲むカバー部と、
を備え、
前記カバー部は、
前記取付け部を軸線周りに回動させるように前記取付け部に固定可能な固定部と、
前記固定部に対して一方向に延設されたレバー部と、
を有する空気調和機。
【請求項２】
前記取付け部は、前記室内機に設けられた開口部の内部に設けられて、前記取付け部の一端は、前記開口部の開口面よりも前記室内機本体の内部側に位置し、
前記固定部は、前記開口部の内部に挿入されて前記取付け部に固定される請求項１に記載の空気調和機。
【請求項３】
室内機本体に設けられ、検出範囲を変更する方向に回動可能であるセンサ部と、前記センサ部の回動軸の軸線上に形成され、前記センサ部と共に回動する取付け部と、前記室内機本体に対して着脱可能であって、前記室内機本体に装着されたとき前記取付け部を囲むカバー部と、を有する空気調和機のセンサ方向調整方法であって、
前記カバー部の固定部を前記取付け部に固定するステップと、
前記カバー部において前記固定部に対して一方向に延設されたレバー部を回動して、前記取付け部及び前記センサ部を軸線周りに回動させるステップと、
を備える空気調和機のセンサ方向調整方法。
【発明の詳細な説明】
【技術分野】
【０００１】
本発明は、空気調和機及び空気調和機のセンサ方向調整方法に関するものである。
【背景技術】
【０００２】
空気調和機の室内機に人体検知センサが設けられて、室内にいる人の有無や位置等に応じて、空気調和機の運転、例えば風量や風向きなどが調整される場合がある。人体検知センサが室内機に固定されて、検出方向の変更ができない場合、室内機の据付け位置によっては、死角が大きくなってしまう。そのため、人体検知センサは、検出方向を変更する必要がある。
【０００３】
特許文献１では、空気調和機の発明であって、センサ部の向きを操作者が明確に分かるようにするため、輻射センサに対応する前面パネルの前面位置に透明若しくは半透明の格子状のカバーを着脱自在に設ける技術が開示されている。また、特許文献２では、赤外線受光装置の発明であって、受光部の受光方向を変えるため、受光部を回転する構造にする技術が開示されている。
【先行技術文献】
【特許文献】
【０００４】
【特許文献１】特許第２９２５８９７号公報
【特許文献２】特開平６−２６１００４号公報
【発明の概要】
【発明が解決しようとする課題】
【０００５】
人体検知センサの検出方向を変更するには、モーターによってセンサの方向を変更する方法や、ユーザの手動によってセンサの方向を変更する方法がある。しかし、モーターを用いる場合、構造が複雑になり、かつ、モーターを配置するために多くのスペースを要する。また、ユーザの手動による場合、手動で変更する構造は、ユーザの手が容易に入り、更に、方向が変更しやすい形状にすることが求められ、多くのスペースがとられがちである。その上、構造的に弱いセンサがユーザによって触られやすくなってしまう。
【０００６】
本発明は、このような事情に鑑みてなされたものであって、簡易な構造で容易にセンサ部の検出方向を変更することが可能な空気調和機及び空気調和機のセンサ方向調整方法を提供することを目的とする。
【課題を解決するための手段】
【０００７】
上記課題を解決するために、本発明の空気調和機及び空気調和機のセンサ方向調整方法は以下の手段を採用する。
すなわち、本発明に係る空気調和機は、室内機本体に設けられ、検出範囲を変更する方向に回動可能であるセンサ部と、前記センサ部の回動軸の軸線上に形成され、前記センサ部と共に回動する取付け部と、前記室内機本体に対して着脱可能であって、前記室内機本体に装着されたとき前記取付け部を囲むカバー部とを備え、前記カバー部は、前記取付け部を軸線周りに回動させるように前記取付け部に固定可能な固定部と、前記固定部に対して一方向に延設されたレバー部とを有する。
【０００８】
この発明によれば、室内機本体に設けられたセンサ部は回動可能であり、回動されることによって、センサ部による検出範囲が変更される。また、センサ部の回動軸の軸線上には取付け部が形成されており、取付け部が回動するとセンサ部も一緒に回動する。カバー部は、室内機本体に対して着脱可能であり、取付け部を囲むように室内機本体に装着される。そして、カバー部の固定部が取付け部に固定可能であり、レバー部が固定部に対して一方向に延設されることから、固定部が取付け部に固定された状態で、レバー部を操作することによって、固定部、取付け部及びセンサ部をセンサ部の回動軸の軸線周りに回動させることができる。
【０００９】
上記発明において、前記取付け部は、前記室内機に設けられた開口部の内部に設けられて、前記取付け部の一端は、前記開口部の開口面よりも前記室内機本体の内部側に位置し、前記固定部は、前記開口部の内部に挿入されて前記取付け部に固定されてもよい。
【００１０】
この発明によれば、室内機に設けられた開口部の内部に取付け部が固定されており、カバー部の固定部は、開口部の内部に挿入されて取付け部に固定される。したがって、取付け部の上端が、開口部の開口面よりも室内機本体の内部側に位置する場合でも、固定部を取付け部に固定することができる。その結果、例えば、取付け部やセンサ部を室内機の奥側へ配置することができるため、室内機のユーザに触られにくくなり、センサ部を保護することができる。
【００１１】
また、本発明に係る空気調和機のセンサ方向調整方法は、室内機本体に設けられ、検出範囲を変更する方向に回動可能であるセンサ部と、前記センサ部の回動軸の軸線上に形成され、前記センサ部と共に回動する取付け部と、前記室内機本体に対して着脱可能であって、前記室内機本体に装着されたとき前記取付け部を囲むカバー部と、を有する空気調和機のセンサ方向調整方法であって、前記カバー部の固定部を前記取付け部に固定するステップと、前記カバー部において前記固定部に対して一方向に延設されたレバー部を回動して、前記取付け部及び前記センサ部を軸線周りに回動させるステップとを備える。
【発明の効果】
【００１２】
本発明によれば、カバー部の固定部が、センサ部の回動軸の軸線上の取付け部に固定された状態で、レバー部を操作することによって、固定部、取付け部及びセンサ部をセンサ部の回動軸の軸線周りに回動させることができるため、簡易な構造で容易にセンサ部の検出方向を変更することができる。
【図面の簡単な説明】
【００１３】
【図１】本発明の一実施形態に係る空気調和機の室内機を示す正面図である。
【図２】同実施形態に係る空気調和機の室内機を示す縦断面図である。
【図３】同実施形態に係る人体検知センサを示す斜視図である。
【図４】同実施形態に係るカバー兼調整治具を示す斜視図である。
【図５】同実施形態に係る空気調和機の室内機を示す正面図である。
【図６】同実施形態に係る空気調和機の室内機を示す縦断面図である。
【図７】同実施形態に係る空気調和機の室内機を示す正面図である。
【図８】同実施形態に係る空気調和機の室内機を示す正面図である。
【図９】同実施形態に係る人体検知センサを示す斜視図である。
【図１０】同実施形態に係る空気調和機の室内機を示す正面図である。
【図１１】同実施形態に係る人体検知センサを示す斜視図である。
【発明を実施するための形態】
【００１４】
以下に、本発明に係る実施形態について、図面を参照して説明する。
まず、本実施形態に係る空気調和機の室内機１、室内機１に設けられる人体検知センサ９及びカバー兼調整治具６の構成について説明する。図１は、空気調和機の室内機１を正面から見た図である。
【００１５】
空気調和機の室内機１は、本体ケース２の内部に冷媒が通過する熱交換器、送風機、モーター、ドレンパン等が設けられる。本体ケース２の前面には、図１に示すように、吸込み口３、吹出し口４、センサカバー５、カバー兼調整治具６が設けられる。吸込み口３から吸い込まれた空気は、送風機によって熱交換器に導かれる。そして、熱交換器を通過して冷却又は加熱された空気が吹出し口から室内へ送り出される。
【００１６】
センサカバー５は、図２に示すように、人体検知センサ９よりも室内側に設けられる。センサカバー５は、ユーザの手による接触など外部からの影響による人体検知センサ９の汚れや破損を防止する。人体検知センサ９は、センサ部の一例であり、例えば赤外線によって温度を検出し、室内にいる人の有無や人の位置などを検出する。
【００１７】
人体検知センサ９は、図３に示すように、軸１０によって支持・固定され、軸１０の軸線周りに回転可能である。人体検知センサ９は、センサ用ケース８内に収容され、軸１０は、センサ用ケース８によって支持される。センサ用ケース８は、室内側が開口しており、本体ケース２に固定されている。
【００１８】
軸１０は、例えば室内機１の正面から見て左右方向に人体検知センサ９が方向を変更できるようにセンサ用ケース８に設けられる。また、軸１０は、室内機１よりも下方を検出できるように、図３に示すように鉛直方向に対して傾斜している。人体検知センサ９は、軸１０の軸線周りに回動することによって、検出範囲を変更できる。
【００１９】
人体検知センサ９の回動軸の軸線上には、取付け部７が形成される。取付け部７は、例えば、図２及び図３に示すように、軸１０の上端側に形成される。取付け部７は、図３に示す例では、軸線方向に対して垂直方向に切断した横断面が六角形であり、後述するカバー兼調整治具６の固定部１２の形状に対応している。
【００２０】
取付け部７が軸１０の上端において軸１０と一体に形成されていることによって、取付け部７が回動するとき、軸１０及び人体検知センサ９が一緒に回動する。取付け部７の上面には、例えば図３に示すように、一方向に溝１４が形成されている。溝１４は、人体検知センサ９の検出範囲の中心方向と一致している。これにより、ユーザは、溝１４の方向を目視することで、人体検知センサ９の向きを確認できる。
【００２１】
取付け部７は、図２に示すように、本体ケース２の前面に形成された開口部１３の内部に設けられる。そして、取付け部７の上端は、開口部１３の開口面よりも室内機１の本体ケース２の内部側に位置している。
【００２２】
カバー兼調整治具６は、本体ケース２に対して着脱可能であり、図４に示すように、固定部１２と、レバー部１１などからなる。固定部１２は、取付け部７の六角形状に合わせて、横断面の内面が六角形となっており、取付け部７を軸線周りに回動させるように取付け部７に固定可能である。レバー部１１は、固定部１２に対して一方向に延設されている。固定部１２は、レバー部１１の一端部に設けられている。レバー部１１の延設方向、すなわち長手方向は、例えば、カバー兼調整治具６が取付け部７に固定されたとき、図６に示すように、軸１０の軸線方向に対して垂直方向である。
【００２３】
カバー兼調整治具６は、通常時、図２に示すように、取付け部７を囲むように開口部１３に装着される。これにより、通常時は、開口部１３が塞がれており、本体ケース２内部への異物の侵入等を防止できる。
【００２４】
そして、人体検知センサ９の方向を変更するとき、カバー兼調整治具６が開口部１３から取り外される。カバー兼調整治具６は、レンチのように使用されて、人体検知センサ９の方向を変更できる。すなわち、図５及び図６に示すように、カバー兼調整治具６の固定部１２を取付け部７に固定して、ユーザがレバー部１１を回動することによって、取付け部７、軸１０及び人体検知センサ９が回動する。
【００２５】
取付け部７には、図３に示すように、溝１４が形成されている方向に対して垂直な面７ａがあり、カバー兼調整治具６の固定部１２には、図４に示すように、六角形内面のうちの一面１２ａがある。そして、固定部１２の一面１２ａは、レバー部１１の長手方向に対して垂直である。
【００２６】
したがって、取付け部７の面７ａと、固定部１２の一面１２ａが一致するとき、取付け部７の上面の溝１４の方向と、レバー部１１の長手方向が一致する。ユーザは、人体検知センサ９がセンサカバー５によって囲まれているため、人体検知センサ９を直接見ることができない。しかし、本実施形態では、取付け部７の上面の溝１４の方向に基づいて取り付けたカバー兼調整治具６のレバー部１１の長手方向の向きによって、ユーザは、人体検知センサ９の方向を確認しながら変更できる。
【００２７】
次に、人体検知センサ９の方向調整方法について説明する。
通常時、すなわち、人体検知センサ９の方向調整をするとき以外において、カバー兼調整治具６は、図１及び図２に示すように、本体ケース２の開口部１３に装着され、開口部１３を塞いでいる。
【００２８】
そして、人体検知センサ９の方向調整を行う場合、まず、カバー兼調整治具６を開口部１３から取り外す。その結果、図７に示すように、取付け部７の上端が開口部１３から露出する。
【００２９】
次に、取り外したカバー兼調整治具６を用いて、取付け部７を回動させる。具体的には、まず、図５及び図６に示すように、カバー兼調整治具６の固定部１２を取付け部７に固定する。このとき、図３に示す取付け部７の上面の溝１４の方向と、レバー部１１の長手方向を一致させる。これにより、図３に示す取付け部７の面７ａと、図４に示す固定部１２の一面１２ａが一致する。図５及び図６に示す状態は、人体検知センサ９の検出範囲の中心軸が室内機１の正面を向いている場合である。
【００３０】
その後、ユーザは、レバー部１１を操作して、任意の方向及び角度に人体検知センサ９の向き及び角度を変更する。例えば、図８及び図９に示すように、レバー部１１を右側へ回動させることで、人体検知センサ９を右側へ向けることができ、図１０及び図１１に示すように、レバー部１１を左側へ回動させることによって、人体検知センサ９を左側へ向けることができる。そして、人体検知センサ９を任意の方向及び角度に調整した後、取付け部７からカバー兼調整治具６を取り外す。取り外したカバー兼調整治具６は、開口部１３に装着されて、開口部１３が塞がれる。
【００３１】
以上、本実施形態によれば、カバー兼調整治具６を用いることによって、人体検知センサ９の方向を容易に変更することができる。カバー兼調整治具６と取付け部７は、レンチとボルト頭の関係と同様に扱うことができ、ユーザの操作が容易である。また、ユーザが直接、人体検出センサ９の方向を手動で方向を変更する構造は、軸の端部につまみ部を設けるなどの形状を設ける必要がある。この場合に比べて、本実施形態は、取付け部７の構造が単純であり、かつ、省スペース化を図ることができる。
【００３２】
そして、カバー兼調整治具６は、図６に示すように、レバー部１１の長手方向に沿って切断した断面がＬ字形状であり、単純な構造の治具である。また、通常時、開口部１３にカバー兼調整治具６を装着したときも、大幅なスペースをとられることが無い。
【００３３】
更に、固定部１２の長さを調整することによって、取付け部７の上端を開口部１３の開口面から離れた方向へ設置することも可能である。すなわち、取付け部７、軸１０及び人体検知センサ９を、本体ケース２の内部の奥側へ配置することができる。その結果、構造的に弱い人体検知センサ９がユーザに触られにくくなり、人体検知センサ９を保護することができる。その上、人体検知センサ９がユーザの手によって操作される場合に比べて、カバー兼調整治具６を挿入し操作するために必要なスペースは、少ないスペースで足りる。
【符号の説明】
【００３４】
１  室内機
２  本体ケース
３  吸込み口
４  吹出し口
５  センサカバー
６  カバー兼調整治具（カバー部）
７  取付け部
８  センサ用ケース
９  人体検知センサ（センサ部）
１０  軸
１１  レバー部
１２  固定部
１３  開口部
１４  溝
【図１】
0005881485.tif 000002
【図２】
0005881485.tif 000003
【図３】
0005881485.tif 000004
【図４】
0005881485.tif 000005
【図５】
0005881485.tif 000006
【図６】
0005881485.tif 000007
【図７】
0005881485.tif 000008
【図８】
0005881485.tif 000009
【図９】
0005881485.tif 000010
【図１０】
0005881485.tif 000011
【図１１】
0005881485.tif 000012